(57)【要約】【課題】プラズマディスプレイパネルを用いて、強制初期化動作を行う回数を複数フィールドに１回としてコントラストの高い画像を表示するとともに、安定した書込み動作を行い品質の高い画像を表示する。【解決手段】初期化期間において、それ以前の放電の有無にかかわらず放電が発生する所定の電圧を走査電極に印加して放電セルで初期化放電を発生させる動作を強制初期化動作とし、書込み期間において、走査電極に走査パルスが印加されるとともにデータ電極に書込みパルスが印加されている時間を書込み時間とするとき、放電セルのそれぞれは複数フィールドのうち１つのフィールドにおいて強制初期化動作を行うとともに、放電セルのそれぞれにおいて、強制初期化動作を行わないフィールドの書込み期間における書込み時間を、強制初期化動作を行うフィールドの書込み期間における書込み時間よりも長く設定した。【選択図】図３
2010249915.tif 000002
【特許請求の範囲】
【請求項１】
走査電極と維持電極とデータ電極とを有する放電セルを複数備えたプラズマディスプレイパネルの駆動方法であって、初期化期間と書込み期間と維持期間とを有するサブフィールドを複数用いて１フィールドを構成し、
前記初期化期間において、それ以前の放電の有無にかかわらず放電が発生する所定の電圧を前記走査電極に印加して前記放電セルで初期化放電を発生させる動作を強制初期化動作とし、
前記書込み期間において、走査電極に走査パルスが印加されるとともにデータ電極に書込みパルスが印加されている時間を書込み時間とするとき、
前記放電セルのそれぞれは複数のフィールドのうち１つのフィールドにおいて前記強制初期化動作を行うとともに、前記放電セルのそれぞれにおいて、前記強制初期化動作を行わないフィールドの書込み期間における前記書込み時間を、前記強制初期化動作を行うフィールドの書込み期間における前記書込み時間よりも長く設定したことを特徴とするプラズマディスプレイパネルの駆動方法。
【請求項２】
前記放電セルのそれぞれはＮ個のフィールド（Ｎは自然数）のうち１つのフィールドで前記強制初期化動作を行い、
連続して配置されたＮ本の走査電極を１つの走査電極群とするとき、１つのフィールドで前記所定の電圧を印加する走査電極は、それぞれの走査電極群の中で１つであることを特徴とする請求項１に記載のプラズマディスプレイパネルの駆動方法。
【請求項３】
前記自然数Ｎは５以上の自然数であり、あるフィールドで前記所定の電圧を印加する走査電極に隣接する走査電極では、少なくともそのフィールドと、そのフィールドの次のフィールドとで前記所定の電圧を印加しないことを特徴とする請求項２に記載のプラズマディスプレイパネルの駆動方法。
【発明の詳細な説明】
【技術分野】
【０００１】
本発明は、交流面放電型のプラズマディスプレイパネルの駆動方法に関する。
【背景技術】
【０００２】
プラズマディスプレイパネル（以下、「パネル」と略記する）として代表的な交流面放電型パネルは、１対の走査電極と維持電極とからなる表示電極対が複数形成された前面基板と、複数の平行なデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行っている。
【０００３】
パネルを駆動する方法としてはサブフィールド法、すなわち、１フィールドを複数のサブフィールドに分割した上で、発光させるサブフィールドの組み合わせによって階調表示を行う方法が一般的である。各サブフィールドでは、初期化動作、書込み動作および維持動作を行う。初期化動作は初期化放電を発生し、続く書込み動作に必要な壁電荷を形成する動作である。初期化動作には、直前のサブフィールドの動作にかかわらず初期化放電を発生させる強制初期化動作と、直前のサブフィールドで書込み放電を行った放電セルで初期化放電を発生させる選択初期化動作とがある。書込み動作は表示する画像に応じて放電セルで選択的に書込み放電を発生し壁電荷を形成する動作であり、維持動作は表示電極対に交互に維持パルスを印加して維持放電を発生させ、対応する放電セルの蛍光体層を発光させる動作である。
【０００４】
サブフィールド法の中でも、強制初期化動作を行う回数を１フィールドに１回とし、緩やかに変化する傾斜波形電圧を用いて強制初期化動作を行うことで、階調表示に関係しない発光を極力減らしてコントラストを向上させた駆動方法が、例えば、特許文献１に開示されている。
【０００５】
また特許文献２には、表示電極対をｎ分割し、強制初期化動作を行う回数をｎフィールドに１回とし、階調表示に関係しない発光をさらに減らしてコントラストをさらに向上させた駆動方法が開示されている。
【先行技術文献】
【特許文献】
【０００６】
【特許文献１】特開２０００−２４２２２４号公報
【特許文献２】特開２００６−０９１２９５号公報
【発明の概要】
【発明が解決しようとする課題】
【０００７】
しかしながら、強制初期化動作の回数を単純に減らすと、黒を表示する放電セル、すなわち維持放電を発生させない放電セルではプライミングが不足し、書込み動作が不安定になるという課題があった。書込み動作が不安定になると、発光すべき放電セルで維持放電が発生せず、画像表示品質が低下する。
【０００８】
本発明は上記課題に鑑みなされたものであり、強制初期化動作を行う回数を複数フィールドに１回としてコントラストの高い画像を表示するとともに、安定した書込み動作を行い品質の高い画像を表示することができるパネルの駆動方法を提供することを目的とする。
【課題を解決するための手段】
【０００９】
上記目的を達成するために本発明は、走査電極と維持電極とデータ電極とを有する放電セルを複数備えたパネルの駆動方法であって、初期化期間と書込み期間と維持期間とを有するサブフィールドを複数用いて１フィールドを構成し、初期化期間において、それ以前の放電の有無にかかわらず放電が発生する所定の電圧を走査電極に印加して放電セルで初期化放電を発生させる動作を強制初期化動作とし、書込み期間において、走査電極に走査パルスが印加されるとともにデータ電極に書込みパルスが印加されている時間を書込み時間とするとき、放電セルのそれぞれは複数のフィールドのうち１つのフィールドにおいて強制初期化動作を行うとともに、放電セルのそれぞれにおいて、強制初期化動作を行わないフィールドの書込み期間における書込み時間を、強制初期化動作を行うフィールドの書込み期間における書込み時間よりも長く設定したことを特徴とする。この方法により、強制初期化動作を行う回数を複数フィールドに１回としてコントラストの高い画像を表示するとともに、安定した書込み動作を行い品質の高い画像を表示することができるパネルの駆動方法を提供することができる。
【００１０】
また本発明のパネルの駆動方法において、放電セルのそれぞれはＮ個のフィールド（Ｎは自然数）のうち１つのフィールドで強制初期化動作を行い、連続して配置されたＮ本の走査電極を１つの走査電極群とするとき、１つのフィールドで前記所定の電圧を印加する走査電極は、それぞれの走査電極群の中で１つであることが望ましい。
【００１１】
また本発明のパネルの駆動方法において、自然数Ｎは５以上の自然数であり、あるフィールドで前記所定の電圧を印加する走査電極に隣接する走査電極では、少なくともそのフィールドと、そのフィールドの次のフィールドとで前記所定の電圧を印加しないことが望ましい。
【発明の効果】
【００１２】
本発明によれば、強制初期化動作を行う回数を複数フィールドに１回としてコントラストの高い画像を表示するとともに、安定した書込み動作を行い品質の高い画像を表示することができるパネルの駆動方法を提供することが可能となる。
【図面の簡単な説明】
【００１３】
【図１】本発明の実施の形態１におけるプラズマディスプレイ装置に用いるパネルの分解斜視図である。
【図２】同プラズマディスプレイ装置に用いるパネルの電極配列図である。
【図３】同プラズマディスプレイ装置の各電極に印加する駆動電圧波形図である。
【図４】本発明の実施の形態１において強制初期化を行う走査電極とフィールドとの関係を示す図である。
【図５】本発明の実施の形態１におけるプラズマディスプレイ装置の回路ブロック図である。
【図６】同プラズマディスプレイ装置の走査電極駆動回路の回路図である。
【図７】同プラズマディスプレイ装置の走査電極駆動回路の動作を説明するためのタイミングチャートである。
【図８】本発明の実施の形態２における強制初期化を行う放電セルとフィールドとの関係を示す図である。
【発明を実施するための形態】
【００１４】
以下、本発明の実施の形態におけるプラズマディスプレイ装置について、図面を用いて説明する。
【００１５】
（実施の形態１）
図１は、本発明の実施の形態１におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１６】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１７】
なお、パネル１０の構造は上述したものに限られるわけではなく、例えばストライプ状の隔壁を備えたものであってもよい。
【００１８】
図２は、本発明の実施の形態１におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１９】
次に、パネル１０を駆動するための駆動電圧波形とその動作について説明する。
【００２０】
プラズマディスプレイ装置は、サブフィールド法、すなわち１フィールドを複数のサブフィールドに分割し、サブフィールド毎に各放電セルの発光・非発光を制御することによって画像を表示する。それぞれのサブフィールドでは初期化動作、書込み動作および維持動作を行う。初期化動作は初期化放電を発生し、続く書込み放電に必要な壁電荷を各電極上に形成する動作である。このときの初期化動作には、それ以前の放電の有無にかかわらず放電セルで初期化放電を発生させる強制初期化動作と、直前のサブフィールドで維持放電を行った放電セルのみで初期化放電を発生させる選択初期化動作とがある。書込み動作は、発光させるべき放電セルで選択的に書込み放電を発生し壁電荷を形成する動作である。そして維持動作は、サブフィールド毎にあらかじめ決められた輝度重みに応じた数の維持パルスを表示電極対に交互に印加して、書込み放電を発生した放電セルで維持放電を発生させて発光させる動作である。
【００２１】
サブフィールド構成としては、例えば、１フィールドを１０のサブフィールド（ＳＦ１、ＳＦ２、・・・、ＳＦ１０）に分割し、各サブフィールドはそれぞれ、（１、２、３、６、１１、１８、３０、４４、６０、８０）の輝度重みを持つものとする。またＳＦ１では強制初期化動作を行い、ＳＦ２〜ＳＦ１０では選択初期化動作を行うものとする。しかし、本発明は上記のサブフィールド構成に限定されるものではない。
【００２２】
本実施の形態においては、ＳＦ１において全ての放電セルで強制初期化動作を行うのではなく、特定の走査電極を有する放電セルで強制初期化動作を行い、それ以外の放電セルでは強制初期化動作は行わない。特定の走査電極についての詳細は後述することとして、まず駆動電圧波形の一例について説明する。
【００２３】
図３は、本発明の実施の形態１におけるプラズマディスプレイ装置の各電極に印加する駆動電圧波形図である。図３には走査電極ＳＣ１、走査電極ＳＣ２、維持電極ＳＵ１〜ＳＵｎおよびデータ電極Ｄ１〜Ｄｍに印加する駆動電圧波形を、ＳＦ１からＳＦ３の初期化期間まで示している。なお図３においては、走査電極ＳＣ１を有する放電セルで強制初期化動作を行い、走査電極ＳＣ２を有する放電セルでは強制初期化動作を行わないものとして説明する。
【００２４】
ＳＦ１の初期化期間の前半部では、データ電極Ｄ１〜Ｄｍに電圧０（Ｖ）を印加し、維持電極ＳＵ１〜ＳＵｎにも電圧０（Ｖ）を印加する。そして強制初期化動作を行うための駆動電圧波形を印加する走査電極（以下「強制初期化動作を行う走査電極」と略記する）である走査電極ＳＣ１には、放電が発生しない電圧Ｖｉ１から、それ以前の放電の有無にかかわらず放電が発生する所定の電圧Ｖｉ２（以下、単に「電圧Ｖｉ２」と称する）に向かって緩やかに上昇する上り傾斜波形電圧を印加する。すると、走査電極ＳＣ１と維持電極ＳＵ１との間、および走査電極ＳＣ１とデータ電極Ｄ１〜Ｄｍとの間でそれぞれ微弱な初期化放電が起こり、走査電極ＳＣ１上に負の壁電圧が蓄積されるとともにデータ電極Ｄ１〜Ｄｍ上および維持電極ＳＵ１上に正の壁電圧が蓄積される。ここで電極上の壁電圧とは、電極を覆う誘電体層上、保護層上、蛍光体層上等に蓄積された壁電荷により生じる電圧を表す。
【００２５】
一方、強制初期化動作を行うための駆動電圧波形を印加しない走査電極（以下「強制初期化動作を行わない走査電極」と略記する）である走査電極ＳＣ２には、上記の電圧Ｖｉ２よりも低い電圧Ｖｉ５に向かって緩やかに上昇する上り傾斜波形電圧を印加する。そのため、少なくとも直前のサブフィールドで維持放電を発生しなかった放電セルにおいて初期化放電が発生することはない。
【００２６】
このようにＳＦ１の初期化期間の前半部では、強制初期化動作を行う走査電極にはそれ以前の放電の有無にかかわらず放電が発生する電圧Ｖｉ２に向かって緩やかに上昇する上り傾斜波形電圧を印加し、強制初期化動作を行わない走査電極には、電圧Ｖｉ２よりも低い電圧Ｖｉ５に向かって緩やかに上昇する上り傾斜波形電圧を印加する。
【００２７】
続くＳＦ１の初期化期間の後半部では、データ電極Ｄ１〜Ｄｍに電圧０（Ｖ）を印加し、維持電極ＳＵ１〜ＳＵｎには電圧Ｖｅを印加する。そして走査電極ＳＣ１〜ＳＣｎに電圧Ｖｉ３から電圧Ｖｉ４に向かって緩やかに下降する下り傾斜波形電圧を印加する。すると、ＳＦ１の初期化期間の前半部で微弱な初期化放電を起こした放電セルでは再び微弱な初期化放電が発生し、対応する放電セルの走査電極上および維持電極上の壁電圧が弱められるとともに、データ電極Ｄ１〜Ｄｍの壁電圧の過剰な部分が放電され書込み動作に適した壁電圧に調整される。加えて、書込み放電の放電遅れ時間を短くするプライミングが発生する。一方、ＳＦ１の初期化期間の前半部で初期化放電を起こさなかった放電セルでは放電が発生せず、それ以前の壁電圧が保持される。またプライミングも発生しない。
【００２８】
このようにして、それ以前の放電の有無にかかわらず放電が発生する電圧Ｖｉ２に向かって上昇する上り傾斜波形電圧を印加した走査電極を有する放電セルでは強制初期化動作が行われる。一方、電圧Ｖｉ２よりも低い電圧Ｖｉ５に向かって上昇する上り傾斜波形電圧を印加した走査電極を有する放電セルでは強制初期化動作が行われない。
【００２９】
続くＳＦ１の書込み期間では、まず走査電極ＳＣ１〜ＳＣｎに電圧Ｖｃを印加する。次に、所定の時間の間、１行目の走査電極ＳＣ１に電圧Ｖａの走査パルスを印加するとともに発光すべき放電セルに対応するデータ電極Ｄｋに電圧Ｖｄの書込みパルスを印加する。すると１行目の放電セルに対する放電遅れ時間の後、データ電極Ｄｋと走査電極ＳＣ１との間および維持電極ＳＵ１と走査電極ＳＣ１との間で書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００３０】
ここで走査パルスと書込みパルスとが同時に印加されている所定の時間を、以下「書込み時間」と称する。そして１行目の走査電極ＳＣ１に対する書込み時間は時間Ｔ０である。１行目の放電セル内部には強制初期化動作にともなうプライミングが残留しているので書込み放電の放電遅れは短い。そのため、書込み時間Ｔ０を短く設定することができる。
【００３１】
次に、２行目の走査電極ＳＣ２に走査パルスを印加するとともに、発光すべき放電セルに対応するデータ電極Ｄｋに電圧Ｖｄの書込みパルスを印加する。２行目の走査電極ＳＣ２に対する書込み時間は時間Ｔ０より長い時間Ｔ１である。すると２行目の放電セルに対する放電遅れ時間の後、データ電極Ｄｋと走査電極ＳＣ１との間および維持電極ＳＵ１と走査電極ＳＣ１との間で書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、２行目に発光させるべき放電セルで書込み放電を起こして各電極上に壁電圧を蓄積する書込み動作が行われる。一方、書込みパルスを印加しなかったデータ電極と走査電極ＳＣ１との交差部の電圧は放電開始電圧を超えないので、書込み放電は発生しない。
【００３２】
ここで、２行目の放電セルでは強制初期化動作を行っていないので、維持放電を行っていない放電セル内部ではプライミングが不足し、書込み放電の放電遅れは長くなる。そのため、２行目の走査電極ＳＣ２に対する書込み時間は時間Ｔ０より長い時間Ｔ１に設定されている。
【００３３】
以下、ｎ行目の走査電極ＳＣｎにいたるまで同様の書込み動作を行い、続く維持放電に必要な壁電荷を形成する。ただし強制初期化動作を行った放電セルの書込み時間は時間Ｔ０であり、強制初期化動作を行わなかった放電セルの書込み時間は、時間Ｔ０より長い時間Ｔ１である。このように本実施の形態においては、強制初期化動作を行わなかった走査電極に対する書込み時間は、強制初期化動作を行った走査電極に対する書込み時間よりも長く設定されている。
【００３４】
続くＳＦ１の維持期間では、維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電圧差は電圧Ｖｓに走査電極ＳＣｉ上の壁電圧と維持電極ＳＵｉ上の壁電圧との差を加算したものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み放電が起きなかった放電セルでは維持放電は発生せず、初期化動作の終了時における壁電圧が保たれる。
【００３５】
続いて、走査電極ＳＣ１〜ＳＣｎに電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加し、書込み放電を起こした放電セルで維持放電を継続して発生させる。
【００３６】
そして維持動作の後には、電圧Ｖｒに向かって緩やかに上昇する上り傾斜波形電圧を走査電極ＳＣ１〜ＳＣｎに印加する。すると維持放電を行った放電セルでは消去放電が発生して、データ電極Ｄｋ上の正の壁電圧を残したまま、走査電極ＳＣｉ上および維持電極ＳＵｉ上の壁電圧が消去される。
【００３７】
なお、輝度重みに応じた維持パルスの数が「０」の場合には、走査電極ＳＣ１〜ＳＣｎおよび維持電極ＳＵ１〜ＳＵｎに維持パルスを印加することなく、電圧Ｖｒに向かって緩やかに上昇する上り傾斜波形電圧を走査電極ＳＣ１〜ＳＣｎに印加して消去放電を発生させる。こうして維持動作を終了する。
【００３８】
ＳＦ２の初期化期間では、データ電極Ｄ１〜Ｄｍに電圧０（Ｖ）を印加し、維持電極ＳＵ１〜ＳＵｎには電圧Ｖｅを印加する。そして走査電極ＳＣ１〜ＳＣｎには電圧Ｖｉ４に向かって緩やかに下降する下り傾斜波形電圧を印加する。すると、直前のサブフィールドにおいて維持放電を発生した放電セルで微弱な初期化放電が発生し、走査電極ＳＣｉ上および維持電極ＳＵｉ上の壁電圧が弱められる。またデータ電極Ｄｋの壁電圧の過剰な部分が放電され、書込み動作に適した壁電圧に調整される。このようにして選択初期化動作が完了する。
【００３９】
続くＳＦ２の書込み期間では、ＳＦ１の書込み期間と同様に、走査電極に走査パルスを順次印加するとともに、発光すべき放電セルに対応するデータ電極Ｄｋに書込みパルスを印加して書込み動作を行う。
【００４０】
ただしＳＦ２の書込み期間においても、ＳＦ１で強制初期化を行った走査電極の書込み時間は時間Ｔ０であり、ＳＦ１で強制初期化を行わなかった走査電極の書込み時間は、時間Ｔ０より長い時間Ｔ１である。このように、ＳＦ１で強制初期化動作を行わなかった走査電極に対する書込み時間は、強制初期化動作を行った走査電極に対する書込み時間よりも長く設定されている。
【００４１】
続くＳＦ２の維持期間の動作は維持パルス数を除きＳＦ１の維持期間と同じであるため説明を省略する。またＳＦ３〜ＳＦ１０における動作も、維持パルス数を除きＳＦ２の動作と同様である。ただしＳＦ３〜ＳＦ１０の書込み期間においても、ＳＦ１で強制初期化動作を行った走査電極の書込み時間は時間Ｔ０であり、ＳＦ１で強制初期化動作を行わなかった走査電極の書込み時間は、時間Ｔ０より長い時間Ｔ１である。
【００４２】
なお、本実施の形態においては、電圧Ｖｉ１は１５０（Ｖ）、電圧Ｖｉ２は４００（Ｖ）、電圧Ｖｉ３は２１０（Ｖ）、電圧Ｖｉ４は−１８０（Ｖ）、電圧Ｖｉ５は２５０（Ｖ）、電圧Ｖｃは−５０（Ｖ）、電圧Ｖａは−２００（Ｖ）、電圧Ｖｓは２１０（Ｖ）、電圧Ｖｒは２１０（Ｖ）、電圧Ｖｅは１４０（Ｖ）、電圧Ｖｄは７５（Ｖ）である。また強制初期化を行った走査電極の書込み時間Ｔ０は１．０μｓであり、強制初期化を行わなかった走査電極の書込み時間Ｔ１は１．５μｓである。しかしこれらの電圧値、書込み時間は上述した値に限定されるものではなく、パネルの放電特性やプラズマディスプレイ装置の仕様にもとづき最適に設定することが望ましい。
【００４３】
次に、強制初期化を行う特定の走査電極とフィールドとの関係について説明する。本実施の形態においては、各フィールドのそれぞれに対して強制初期化動作を行う特定の走査電極を以下の規則にもとづき設定する。１つの走査電極に対して、Ｎ個の連続するフィールド（Ｎは自然数）のうち１つのフィールドで強制初期化動作を行う場合、時間的に連続するＮフィールドを１つのフィールド群とし、連続して配置されたＮ本の走査電極を１つの走査電極群とする。その上で、
（規則１）１つの走査電極で強制初期化動作を行うフィールドは、それぞれのフィールド群の中で１つである。
（規則２）１つのフィールドで強制初期化動作を行う走査電極は、それぞれの走査電極群の中で１つである。
【００４４】
さらに、Ｎ≧５の場合には、
（規則３）あるフィールドで強制初期化動作を行う走査電極に隣接する走査電極では、少なくともそのフィールドと、そのフィールドの次のフィールドとで強制初期化動作を行わない。
【００４５】
図４は、本発明の実施の形態１において強制初期化を行う走査電極とフィールドとの関係を示す図であり、Ｎ＝５の場合の一例を示している。また横軸はフィールドを、縦軸は走査電極をそれぞれ表し、フィールドＦｊ〜Ｆｊ＋４が１つのフィールド群を、走査電極ＳＣｉ〜ＳＣｉ＋４が１つの走査電極群を構成している。さらに「○」は強制初期化動作を行うことを示し、「×」は強制初期化動作を行わないことを示している。
【００４６】
図４から明らかなように、走査電極ＳＣｉは、それぞれフィールド群の中の１つのフィールドで強制初期化動作を行っている。走査電極ＳＣｉ＋１〜ＳＣｉ＋４についても同様である（規則１）。これにより、フィールド毎に全ての放電セルで強制初期化動作を毎回行う場合と比較して、強制初期化動作の回数を５分の１に低減されるので、表示画像の黒輝度も５分の１に低減することができる。またフィールドＦｊに対して、それぞれ走査電極群の中の１つの走査電極で強制初期化動作を行っている。フィールドＦｊ＋１〜Ｆｊ＋４についても同様である（規則２）。これにより、強制初期化動作を行う走査電極を各フィールドに分散できるので、フリッカーを低減することができる。また走査電極ＳＣｉはフィールドＦｊで強制初期化動作を行い、走査電極ＳＣｉに隣接する走査電極ＳＣｉ−１および走査電極ＳＣｉ＋１は、フィールドＦｊおよびその次のフィールドＦｊ＋１では強制初期化動作を行わない。走査電極ＳＣｉ＋１〜ＳＣｉ＋４についても同様である（規則３）。これにより、強制初期化動作を行う走査電極の時間的および空間的連続性を低減できるので、強制初期化動作にともなう発光が認識されにくくなる。
【００４７】
また、本実施の形態においては、各走査電極について設定される書込み時間を、「○」を記した欄のフィールドでは時間Ｔ０とし、「×」を記した欄のフィールドでは時間Ｔ０より長い時間Ｔ１としている。
【００４８】
これは、強制初期化動作を行ったフィールドでは初期化放電にともなうプライミングが残留しており、書込み放電に対する放電遅れが短くなるため、書込み時間を短く設定しても安定した書込み動作を行うことができるためである。しかし、強制初期化動作を行わなかったフィールドでは、維持放電を行わない放電セルでプライミングが不足して書込み放電に対する放電遅れが長くなる。そのため書込み時間をある程度長く設定することで書込み放電を安定して発生させている。
【００４９】
このように、放電セルのそれぞれは複数の連続するフィールドのうち１つのフィールドに１回の割合で強制初期化動作を行うとともに、放電セルのそれぞれにおいて、強制初期化動作を行わないフィールドの書込み期間における書込み時間は強制初期化動作を行うフィールドの書込み期間における書込み時間よりも長く設定することにより、安定した書込み動作を実現している。
【００５０】
次に、パネル１０を駆動するための駆動回路とその動作について説明する。図５は、本発明の実施の形態１におけるプラズマディスプレイ装置４０の回路ブロック図である。プラズマディスプレイ装置４０は、パネル１０とその駆動回路とを備え、駆動回路は、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００５１】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する書込みパルスに変換し各データ電極Ｄ１〜Ｄｍに印加する。タイミング発生回路４５は垂直および水平同期信号をもとにして各回路ブロックの動作を制御する各種のタイミング信号を発生し、それぞれの回路ブロックへ供給する。走査電極駆動回路４３は、タイミング信号にもとづいて上述した駆動電圧波形を発生し各走査電極ＳＣ１〜ＳＣｎのそれぞれに印加する。維持電極駆動回路４４は、タイミング信号にもとづいて上述した駆動電圧波形を発生し維持電極ＳＵ１〜ＳＵｎに印加する。
【００５２】
図６は、本発明の実施の形態１におけるプラズマディスプレイ装置４０の走査電極駆動回路４３の回路図である。走査電極駆動回路４３は、維持パルス発生回路５０と、傾斜波形電圧発生回路６０と、走査パルス発生回路７０とを備えている。
【００５３】
維持パルス発生回路５０は、電力回収回路５１と、スイッチング素子Ｑ５５と、スイッチング素子Ｑ５６と、スイッチング素子Ｑ５９とを有し、走査電極ＳＣ１〜ＳＣｎに印加する維持パルスを発生する。電力回収回路５１は走査電極ＳＣ１〜ＳＣｎを駆動するときの電力を回収して再利用する。スイッチング素子Ｑ５５は走査電極ＳＣ１〜ＳＣｎを電圧Ｖｓにクランプし、スイッチング素子Ｑ５６は走査電極ＳＣ１〜ＳＣｎを電圧０（Ｖ）にクランプする。スイッチング素子Ｑ５９は分離スイッチであり、走査電極駆動回路４３を構成するスイッチング素子の寄生ダイオード等を介して電流が逆流するのを防止するために設けられている。
【００５４】
走査パルス発生回路７０は、スイッチング素子Ｑ７１Ｈ１〜Ｑ７１Ｈｎ、Ｑ７１Ｌ１〜Ｑ７１Ｌｎ、スイッチング素子Ｑ７２を有する。そして電圧Ｖａの電源、および走査パルス発生回路７０の基準電位（図６に示した節点Ａの電位）に重畳された電圧Ｖｐの電源をもとにして走査パルスを発生し、走査電極ＳＣ１〜ＳＣｎのそれぞれに、図３に示したタイミングで走査パルスを順次印加する。なお、走査パルス発生回路７０は、維持動作時には維持パルス発生回路５０の出力電圧をそのまま出力する。すなわち、節点Ａの電圧を走査電極ＳＣ１〜ＳＣｎへ出力する。
【００５５】
傾斜波形電圧発生回路６０は、ミラー積分回路６１〜６３を備え、図３に示した傾斜波形電圧を発生させる。ミラー積分回路６１は、トランジスタＱ６１とコンデンサＣ６１と抵抗Ｒ６１とを有し、電圧Ｖｔに向かって緩やかに上昇する上り傾斜波形電圧を発生する。ミラー積分回路６２は、トランジスタＱ６２とコンデンサＣ６２と抵抗Ｒ６２と逆流防止用のダイオードＤ６２とを有し、電圧Ｖｒに向かって緩やかに上昇する上り傾斜波形電圧を発生する。ミラー積分回路６３は、トランジスタＱ６３とコンデンサＣ６３と抵抗Ｒ６３とを有し、電圧Ｖｉ４に向かって緩やかに低下する下り傾斜波形電圧を発生する。なおスイッチング素子Ｑ６９も分離スイッチであり、走査電極駆動回路４３を構成するスイッチング素子の寄生ダイオード等を介して電流が逆流するのを防止するために設けられている。
【００５６】
なお、これらのスイッチング素子およびトランジスタは、ＭＯＳＦＥＴやＩＧＢＴ等の一般に知られた素子を用いて構成することができる。またこれらのスイッチング素子およびトランジスタは、タイミング発生回路４５で発生したそれぞれのスイッチング素子およびトランジスタに対応するタイミング信号により制御される。
【００５７】
次に、走査電極駆動回路４３の動作、特にＳＦ１の初期化期間および書込み期間の動作について説明する。本実施の形態においては、図３に示した電圧Ｖｉ１は電圧Ｖｐに等しく、電圧Ｖｉ２は電圧（Ｖｔ＋Ｖｐ）に等しく、電圧Ｖｉ３は電圧Ｖｓに等しく、電圧Ｖｉ５は電圧Ｖｔに等しく、電圧Ｖｃは電圧（Ｖａ＋Ｖｐ）に等しいものとして説明する。しかしこれらの電圧は上記に限定されるものではなく、回路構成に応じて適宜設定することができる。
【００５８】
図７は、本発明の実施の形態１におけるプラズマディスプレイ装置４０の走査電極駆動回路４３の動作を説明するためのタイミングチャートである。なお図７には走査電極ＳＣ１〜ＳＣｎのうち、強制初期化動作を行う走査電極を走査電極ＳＣｘで示し、強制初期化動作を行わない走査電極を走査電極ＳＣｙで示した。またスイッチング素子Ｑ７１Ｈ１〜Ｑ７１Ｈｎのうち、走査電極ＳＣｘに対応するスイッチング素子をスイッチング素子Ｑ７１Ｈｘで示し、走査電極ＳＣｙに対応するスイッチング素子をスイッチング素子Ｑ７１Ｈｙで示した。同様にスイッチング素子Ｑ７１Ｌ１〜Ｑ７１Ｌｎのうち、走査電極ＳＣｘに対応するスイッチング素子をスイッチング素子Ｑ７１Ｌｘで示し、走査電極ＳＣｙに対応するスイッチング素子をスイッチング素子Ｑ７１Ｌｙで示した。
【００５９】
初期化期間の前半部において、まずスイッチング素子Ｑ５６、スイッチング素子Ｑ６９、スイッチング素子Ｑ７１Ｌｘ、Ｑ７１Ｌｙをオンにして走査電極ＳＣｘ、ＳＣｙに電圧０（Ｖ）を印加する。次にスイッチング素子Ｑ５６をオフにするとともに、強制初期化動作を行う走査電極ＳＣｘに対してはスイッチング素子Ｑ７１Ｌｘをオフ、スイッチング素子Ｑ７１Ｈｘをオンにして電圧Ｖｐを印加する。一方、強制初期化動作を行わない走査電極ＳＣｙに対しては、電圧０（Ｖ）を印加したままである。
【００６０】
次に、ミラー積分回路６１の入力端子ＩＮ６１に所定の電圧を印加して、節点Ａの電圧を電圧Ｖｔまで緩やかに上昇させる。すると、強制初期化動作を行う走査電極ＳＣｘには、電圧Ｖｐから電圧（Ｖｔ＋Ｖｐ）まで緩やかに上昇する上り傾斜波形電圧が印加される。一方、強制初期化動作を行わない走査電極ＳＣｙには電圧０（Ｖ）から電圧Ｖｔまで緩やかに上昇する上り傾斜波形電圧が印加される。
【００６１】
続くＳＦ１の初期化期間の後半部において、スイッチング素子Ｑ７１Ｈｘをオフ、スイッチング素子Ｑ７１Ｌｘをオンに戻すとともに、スイッチング素子Ｑ５５、スイッチング素子Ｑ５９をオンにして、まず走査電極ＳＣｘ、ＳＣｙに電圧Ｖｓを印加する。その後、スイッチング素子Ｑ６９をオフにするとともにミラー積分回路６３の入力端子ＩＮ６３に所定の電圧を印加してミラー積分回路６３を動作させて、走査電極ＳＣｘ、ＳＣｙに電圧Ｖｉ４まで緩やかに下降する下り傾斜波形電圧が印加される。
【００６２】
続く書込み期間では、まずミラー積分回路６３のトランジスタＱ６３をオフ、スイッチング素子Ｑ７２をオンにして節点Ａの電圧を電圧Ｖａにするとともに、スイッチング素子Ｑ７１Ｌｘ、Ｑ７１Ｌｙをオフ、スイッチング素子Ｑ７１Ｈｘ、Ｑ７１Ｈｙをオンとして、走査電極ＳＣｘ、ＳＣｙのそれぞれに電圧（Ｖａ＋Ｖｐ）を印加する。
【００６３】
次に、スイッチング素子Ｑ７１Ｈ１をオフ、スイッチング素子Ｑ７１Ｌ１をオンにし、所定の書込み時間の後、スイッチング素子Ｑ７１Ｌ１をオフ、スイッチング素子Ｑ７１Ｈ１をオンに戻す。このようにして走査電極ＳＣ１に走査パルスを印加する。以下同様に、走査電極ＳＣｎにいたるまで、順次走査パルスを印加する。
【００６４】
このとき、強制初期化動作を行った走査電極ＳＣｘに対しては、スイッチング素子Ｑ７１Ｈｘをオフ、スイッチング素子Ｑ７１Ｌｘをオンにし、書込み時間Ｔ０の後、スイッチング素子Ｑ７１Ｌｘをオフ、スイッチング素子Ｑ７１Ｈｘをオンに戻して、書込み時間Ｔ０の走査パルスを印加する。また強制初期化動作を行わなかった走査電極ＳＣｙに対しては、スイッチング素子Ｑ７１Ｈｙをオフ、スイッチング素子Ｑ７１Ｌｙをオンにし、書込み時間Ｔ１の後、スイッチング素子Ｑ７１Ｌｙをオフ、スイッチング素子Ｑ７１Ｈｙをオンに戻して、書込み時間Ｔ１の走査パルスを印加する。
【００６５】
その後、スイッチング素子Ｑ７２、スイッチング素子Ｑ７１Ｈｘ、Ｑ７１Ｈｙをオフ、スイッチング素子Ｑ５６、スイッチング素子Ｑ６９、スイッチング素子Ｑ７１Ｌｘ、Ｑ７１Ｌｙをオンにして走査電極ＳＣｘ、ＳＣｙに電圧０（Ｖ）を印加する。
【００６６】
このようにして、本実施の形態においては、走査電極駆動回路４３を用いて図３に示した駆動電圧波形を走査電極ＳＣ１〜ＳＣｎに印加する。
【００６７】
なお、図７には、電圧Ｖｔが電圧Ｖｓよりも高い電圧値に設定された例を示したが、電圧Ｖｔと電圧Ｖｓとが互いに等しい電圧値であってもよく、また電圧Ｖｔの方が電圧Ｖｓよりも低い電圧値であってもよい。
【００６８】
また、本実施の形態においては、各走査電極、各フィールドのそれぞれに対して強制初期化動作を行うか否かを、上述した（規則１）、（規則２）にもとづき設定した。また、Ｎ≧５の場合には、（規則１）、（規則２）に加えて（規則３）にもとづき設定した。しかし本発明はこれに限定されるものではなく、条件を緩和した駆動についても適用することができる。その一例を以下に説明する。
【００６９】
（実施の形態２）
実施の形態２においては、各フィールドのそれぞれに対して強制初期化動作を行う特定の走査電極を以下の規則にもとづき設定する。１つの走査電極に対して、Ｎフィールドに１回の割合で強制初期化動作を行う場合、時間的に連続するＮフィールドを１つのフィールド群とし、連続して配置されたＭ本（ただし、Ｍ≦Ｎ）の走査電極を１つの走査電極群とする。その上で、
（規則１）１つの走査電極で強制初期化動作を行うフィールドは、それぞれのフィールド群の中で１つである。
（規則２’）１つのフィールドで強制初期化動作を行う走査電極は、それぞれの走査電極群の中で１つまたは０である。
【００７０】
さらに、Ｎ≧４の場合には、
（規則３）あるフィールドで強制初期化動作を行う走査電極に隣接する走査電極では、少なくともそのフィールドと、そのフィールドの次のフィールドとで強制初期化動作を行わない。
【００７１】
図８は、本発明の実施の形態２における強制初期化を行う放電セルとフィールドとの関係を示す図であり、Ｎ＝４、Ｍ＝２の場合の一例を示している。また横軸はフィールドを、縦軸は走査電極をそれぞれ表し、フィールドＦｊ〜Ｆｊ＋３が１つのフィールド群を、走査電極ＳＣｉ、ＳＣｉ＋１が１つの走査電極群を構成している。さらに「○」は強制初期化動作を行うことを示し、「×１」〜「×３」は強制初期化動作を行わないことを示している。
【００７２】
図８から明らかなように、走査電極ＳＣｉが強制初期化動作を行うフィールドは、それぞれのフィールド群の中の１つのフィールドである。他の走査電極についても同様である（規則１）。これにより、フィールド毎に全ての放電セルで強制初期化動作を毎回行う場合と比較して、強制初期化動作の回数が４分の１に低減されるので、表示画像の黒輝度も４分の１に低減することができる。またフィールドＦｊに対して強制初期化動作を行う走査電極の数は、それぞれの走査電極群の中で１つまたは０である。他のフィールドについても同様である（規則２’）。これにより、強制初期化動作を行う走査電極を各フィールドに分散できるので、フリッカーを低減することができる。また例えば走査電極ＳＣｉはフィールドＦｊで強制初期化動作を行い、走査電極ＳＣｉに隣接する走査電極ＳＣｉ−１および走査電極ＳＣｉ＋１は、フィールドＦｊおよびその次のフィールドＦｊ＋１では強制初期化動作を行わない。他の走査電極についても同様である（規則３）。これにより、強制初期化動作を行う走査電極の時間的および空間的連続性を低減できるので、強制初期化動作にともなう発光が認識されにくくなる。
【００７３】
また、実施の形態２においては、各走査電極について設定される書込み時間を、「○」を記した欄のフィールドでは時間Ｔ０とし、「×１」を記した欄のフィールドでは時間Ｔ０より長い時間Ｔ１としている。さらに「×２」を記した欄のフィールドでは時間Ｔ１より長い時間Ｔ２とし、「×３」を記した欄のフィールドでは時間Ｔ２より長い時間Ｔ３としている。
【００７４】
ここで、書込み時間Ｔ０は１．０μｓであり、書込み時間Ｔ１は１．１μｓであり、書込み時間Ｔ２は１．３μｓであり、書込み時間Ｔ３は１．６μｓである。
【００７５】
初期化放電にともなうプライミングは時間とともに減少し、強制初期化動作から時間が経過するにつれて書込み放電に対する放電遅れが長くなる。しかしこのように書込み時間を設定することにより、強制初期化動作を行う回数を複数フィールドに１回としても、プライミングの減少にあわせて書込み時間を設定できるので、書込み放電を安定して発生させることができる。
【００７６】
なお、実施の形態１、２において示した具体的な数値等は単に一例を示したに過ぎず、本発明はこれらの数値に何ら限定されるものではなく、パネルの特性やプラズマディスプレイ装置の仕様等にあわせて最適に設定することが望ましい。また、これらの各数値は、上述した効果が得られる範囲でのばらつきを許容するものとする。
【産業上の利用可能性】
【００７７】
本発明は、強制初期化動作を行う回数を複数フィールドに１回としてコントラストの高い画像を表示するとともに、安定した書込み動作を行い品質の高い画像を表示することができるので、パネルの駆動方法として有用である。
【符号の説明】
【００７８】
１０    パネル
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４    維持電極駆動回路
４５    タイミング発生回路
５０    維持パルス発生回路
５１    電力回収回路
６０    傾斜波形電圧発生回路
６１，６２，６３    ミラー積分回路
７０    走査パルス発生回路
【図１】
2010249915.tif 000003
【図２】
2010249915.tif 000004
【図３】
2010249915.tif 000005
【図４】
2010249915.tif 000006
【図５】
2010249915.tif 000007
【図６】
2010249915.tif 000008
【図７】
2010249915.tif 000009
【図８】
2010249915.tif 000010